(57)【要約】      （修正有）【課題】拒絶反応の限りなく少ない本人のＤＮＡによる臓器移植方法を提供する。【解決手段】レーザー光線のタンパク質分解システムを応用して、ＤＮＡの設計図から心臓あるいは肝臓の設計図だけを残し、他のＤＮＡを絶縁体の状態に変える。１億度のプラズマ状態から通常の磁力で、赤外線素粒子の固まりによる、放射線を弱めた磁場により心臓あるいは肝臓の絶縁体がナノテクカバーにより磁性を弱くしておく。他の部分全体のＤＮＡは、ＤＮＡの形が崩れない限りまで強い磁性を創っておく。そこにナノレベルの金属性の粉末と成長ホルモンをゼリーにして心臓あるいは肝臓の細胞分裂が早くて、他の細胞は遅くなるように自由電子の電流で調節できるようにする。進化する細胞は分裂して、進化しない細胞は退化し死滅する。この調節により拒絶反応の少ない心臓移植や肝臓移植ができる。【選択図】  図１
2004216080.tif 000002
【特許請求の範囲】
【請求項１】
田中耕一さんのしていることで高分子を当てて、レーザー光線によるタンパク質分解システムを応用することにより、ＤＮＡの設計図から心臓なら心臓だけに限り、肝臓なら肝臓だけに限るようなＤＮＡ内の設計図だけを残して、他のＤＮＡは炭素を中心とした水素と酸素と窒素の結合による高分子の絶縁体の状態の変えます。
【請求項２】
まず例えば１番本人のＤＮＡの取り出しやすそうな白血球やリンパ球などからＤＮＡを採取します。
【請求項３】
そのようなことは、あらかじめこれは、絶対と言っていい程しなければいけないことがあり、例を言えば１億度のプラズマ状態の磁力から磁力の程度から言えばの少し強力と言える程の磁力であります、その冷ましたじりょくを放射せんを限りなくよわくして強力な凸レンズで採種したナノテクカバー付きのＤＮＡに集中的に磁力が浴びる状態になり、１億度に上げたプラズマ発生装置は超過密コイルでなくてはならないのであります。
【請求項４】
量子力学でいえば光の波を構成する赤外線素粒子があります。
それは、量子力学の電子や陽子や中性子の中にあまり大きくはないけれどもニュートリノから比べると中くらいの大きさの素粒子の赤外線素粒子の固まりによるります。
【請求項５】
放射線素粒子の弱まりが磁場により、放射線制御により、ＤＮＡによる細胞分裂の突然変異のほとんどというよりほぼ完璧に心臓なら心臓のＤＮＡの心臓設計図部分、肝臓なら肝臓のＤＮＡの肝臓設計図部分の絶縁体がナノテクカバーによる磁性体を弱くしておいて、他の部分全体のＤＮＡがくずれない限り、微量な磁性を弱くしておく。
【請求項６】
他の部分全体のＤＮＡは、ＤＮＡの形が崩れない限りまで臓器の完成の大きさを大きく上回るような強い磁界を目に見えないミクロンなＤＮＡから強力な磁性を創っておきます。
【請求項７】
そこに金属性の粉末をナノレベルまで小さく技術が許す限りちいさくして、そこに成長ホルモンをゼリーにして心臓なら心臓、肝臓なら肝臓の細胞分裂が早くて、他の細胞は遅くするように設定する調節を自由電子の電流の調節でできるようにします。
【請求項８】
そこに、血液循環が行き渡るように本人の血液をそのＤＮＡの臓器の形成による細胞分裂による臓器の形成に使ってＤＮＡの段階では血液をしみ込ませる程度で初めは血液をしみ込ませる程度にしておいて細胞分裂が活性化して、血管ができがきたら、本人の血液の輸血をしみ込ませると同時に微量な力のポンプを創ります。
【請求項９】
細胞分裂が進んできたら序除に本人の血液を輸血しながら、その血液をしみ込ませながら、他に、その本人の血液を輸血したものが臓器の完成度に比例して心臓のポンプ圧力に比例するようにします。
【請求項１０】
その際、前にも述べたように本人の血液の輸血にしみ込ませる順序から細胞分裂の血管の形成による微量なポンプから臓器の完成度に比例して心臓の圧力に比例した本人の血液に前にも述べたようにナノテクを基準とした金属の粉末を数兆個ぐらいしみこませておきます。
【請求項１１】
そして、臓器ができあがったら本人の血液の輸血を大量に使いなければ血液型の同じ人々の血液を輸血して、ナノテクを基準とした金属の粉末をほとんど全部外へ出します。
【請求項１２】
最終的にナノテクの粉末がほとんど全部外へ出た状態で本人の血液にほとんど全部入れ換えその臓器の大動脈と大静脈をつなぎ新しい本人の血液の輸血につなげながら臓器の移植をおこないます。
【請求項１３】
これが生物の進化する細胞は分裂して、進化しない細胞は退化し死滅します、この調節がうまくいけば拒絶反応の少ない心臓移植や肝臓移植ができるのではないでしょうか。
【請求項１４】
ここで必要なのは田中耕一さんの論文のようなレーザー光線と数兆個のナノテクのを基準とした金属の粉末の電流の量の調節ですレーザー光線は最終的にレーザー光線発生調整装置でバリコンで動かなければんりません。
それから前にものべたらように、放射線のほとんどない、最初のＤＮＡとナノテクの目的の臓器のＤＮＡの設計図部分のカバーとそれに伴う他の部分が強い永久磁石に近い完成された移植の臓器の磁場を超えた移植臓器が完成するまでもっている強い磁場を前にも述べたように放射線がほとんどないくらいに調節することです。
【請求項１５】
それから、成長ホルモンを中心とする細胞に良い善性の細胞分裂活性剤を調節することです。
【請求項１６】
この考え方がもっとも拒絶反応の少ない臓器移植になればいいと思います。
以上の構成を有する、田中耕一さんによる拒絶反応の限りなく少ない本人のＤＮＡによる臓器移植方法。
【発明の詳細な説明】
【０００１】
【産業上の利用分野】
この発明は田中耕一さんの発見による免疫機能から考えて拒絶反応の限りなく少ない本人のＤＮＡの臓器移植方法である。
【０００２】
【従来の技術】
従来の、本人ではない人からのドナーという移植が主流だった。
【０００３】
【発明が解決しようとする課題】
これは次のような欠点があった。
（イ）本人ではないＤＮＡなのでひどい拒絶反応か多かった。
（ロ）脳死が人の死という問題でそういった移植が多かった。
（ハ）本人のＤＮＡとそうとう一致している面がなければ移植は難しかった。
本発明は、これらの欠点を除くためになされたものである。
【０００４】
【課題を解決するための手段】
本発明は、これらの問題を解決するため、田中耕一さんのしていることで高分子を当てて、レーザー光線によるタンパク質分解システムを応用することにより、ＤＮＡの設計図から心臓なら心臓だけに限り、肝臓なら肝臓だけに限るようなＤＮＡ内の設計図だけを残して、他のＤＮＡは炭素を中心とした水素と酸素と窒素の結合による高分子の絶縁体の状態の変えます。
まず例えば１番本人のＤＮＡの取り出しやすそうな白血球やリンパ球などからＤＮＡを採取します。
そのようなことは、あらかじめこれは、絶対と言っていい程しなければいけないことがあり、例を言えば１億度のプラズマ状態の磁力から磁力の程度から言えばの少し強力と言える程の磁力であります
赤外線素粒子は、量子力学の電子や陽子や中性子の中にあまり大きくはないけれどもニュートリノから比べると中くらいの大きさの素粒子の赤外線素粒子の固まりによるります。
放射線素粒子の弱まりが磁場により、放射線制御により、ＤＮＡによる細胞分裂の突然変異のほとんどというよりほぼ完璧に心臓なら心臓のＤＮＡの心臓設計図部分、肝臓なら肝臓のＤＮＡの肝臓設計図部分の絶縁体がナノテクカバーによる磁性体を弱くしておいて、他の部分全体のＤＮＡがくずれない限り、微量な磁性を弱くしておく。
他の部分全体のＤＮＡは、ＤＮＡの形が崩れない限りまで臓器の完成の大きさを大きく上回るような強い磁界を目に見えないミクロンなＤＮＡから強力な磁性を創っておきます。
そこに金属性の粉末をナノレベルまで小さく技術が許す限りちいさくして、そこに成長ホルモンをゼリーにして心臓なら心臓、肝臓なら肝臓の細胞分裂が早くて、他の細胞は遅くするように設定する調節を自由電子の電流の調節でできるようにします。
そこに、血液循環が行き渡るように本人の血液をそのＤＮＡの臓器の形成による細胞分裂による臓器の形成に使ってＤＮＡの段階では血液をしみ込ませる程度で初めは血液をしみ込ませる程度にしておいて細胞分裂が活性化して、血管ができがきたら、本人の血液の輸血をしみ込ませると同時に微量な力のポンプを創ります。
細胞分裂が進んできたら序除に本人の血液を輸血しながら、その血液をしみ込ませながら、他に、その本人の血液を輸血したものが臓器の完成度に比例して心臓のポンプ圧力に比例するようにします。
その際、前にも述べたように本人の血液の輸血にしみ込ませる順序から細胞分裂の血管の形成による微量なポンプから臓器の完成度に比例して心臓の圧力に比例した本人の血液に前にも述べたようにナノテクを基準とした金属の粉末を数兆個ぐらいしみこませておきます。
そして、臓器ができあがったら本人の血液の輸血を大量に使いなければ血液型の同じ人々の血液を輸血して、ナノテクを基準とした金属の粉末をほとんど全部外へ出します。
最終的にナノテクの粉末がほとんど全部外へ出た状態で本人の血液にほとんど全部入れ換えその臓器の大動脈と大静脈をつなぎ新しい本人の血液の輸血につなげながら臓器の移植をおこないます。
この調節がうまくいけば拒絶反応の少ない心臓移植や肝臓移植ができるのではないでしょうか。
ここで必要なのは田中耕一さんの論文のようなレーザー光線と数兆個のナノテクのを基準とした金属の粉末の電流の量の調節でねレーザー光線は最終的にレーザー光線発生調整装置でバリコンでレーザー光線を発射しなければなりません。それから前にものべたらように、放射線のほとんどない、最初のＤＮＡとナノテクの目的の臓器のＤＮＡの設計図部分のカバーとそれに伴う他の部分が強い永久磁石に近い完成された移植の臓器の磁場を超えた移植臓器が完成するまでもっている強い磁場を前にも述べたように放射線がほとんどないくらいに調節することです。
それから、成長ホルモンを中心とする細胞に良い善性の細胞分裂活性剤を調節することです。
この考え方がもっとも拒絶反応の少ない臓器移植になればいいとおもいます。本発明は、以上のような構成よりなる田中耕一さんによる拒絶反応の限りなく少ない本人のＤＮＡによる臓器移植方法である。
【０００５】
【作用】
本人のＤＮＡによって限りなく拒絶反応の少ない臓器移植ほうほうである。
【０００６】
【実施例】
以下、本発明について実施例を説明する。
田中耕一さんのしていることで高分子を当てて、レーザー光線によるタンパク質分解システムを応用することにより、ＤＮＡの設計図から心臓なら心臓だけに限り、肝臓なら肝臓だけに限るようなＤＮＡ内の設計図だけを残して、他のＤＮＡは炭素を中心とした水素と酸素と窒素の結合による高分子の絶縁体の状態の変えます。
まず例えば１番本人のＤＮＡの取り出しやすそうな白血球やリンパ球などからＤＮＡを採取します。
そのようなことは、あらかじめこれは、絶対と言っていい程しなければいけないことがあり、例を言えば１億度のプラズマ状態の磁力から磁力の程度から言えばの少し強力と言える程の磁力であります、１億度に上げた磁力が冷めて放射線素粒子が弱くなり超強力凸レンズによる採種したＤＮＡによるナノテクカバーによる磁力の小さい範囲への集中であり、１億に上げたプラズマ発生装置は超過密こいるでなくてはならないのであります。
量子力学でいえば光の波を構成する赤外線素粒子があります。
それは、量子力学の電子や陽子や中性子の中にあまり大きくはないけれどもニュートリノから比べると中くらいの大きさの素粒子の赤外線素粒子の固まりによるります。
放射線素粒子の弱まりが磁場により、放射線制御により、ＤＮＡによる細胞分裂の突然変異のほとんどというよりほぼ完璧に心臓なら心臓のＤＮＡの心臓設計図部分、肝臓なら肝臓のＤＮＡの肝臓設計図部分の絶縁体がナノテクカバーによる磁性体を弱くしておいて、他の部分全体のＤＮＡがくずれない限り、微量な磁性を弱くしておく。
他の部分全体のＤＮＡは、ＤＮＡの形が崩れない限りまで臓器の完成の大きさを大きく上回るような強い磁界を目に見えないミクロンなＤＮＡから強力な磁性を創っておきます。
そこに金属性の粉末をナノレベルまで小さく技術が許す限りちいさくして、そこに成長ホルモンをゼリーにして心臓なら心臓、肝臓なら肝臓の細胞分裂が早くて、他の細胞は遅くするように設定する調節を自由電子の電流の調節でできるようにします。
そこに、血液循環が行き渡るように本人の血液をそのＤＮＡの臓器の形成による細胞分裂による臓器の形成に使ってＤＮＡの段階では血液をしみ込ませる程度で初めは血液をしみ込ませる程度にしておいて細胞分裂が活性化して、血管ができがきたら、本人の血液の輸血をしみ込ませると同時に微量な力のポンプを創ります。
細胞分裂が進んできたら序除に本人の血液を輸血しながら、その血液をしみ込ませながら、他に、その本人の血液を輸血したものが臓器の完成度に比例して心臓のポンプ圧力に比例するようにします。
その際、前にも述べたように本人の血液の輸血にしみ込ませる順序から細胞分裂の血管の形成による微量なポンプから臓器の完成度に比例して心臓の圧力に比例した本人の血液に前にも述べたようにナノテクを基準とした金属の粉末を数兆個ぐらいしみこませておきます。
そして、臓器ができあがったら本人の血液の輸血を大量に使いなければ血液型の同じ人々の血液を輸血して、ナノテクを基準とした金属の粉末をほとんど全部外へ出します。
最終的にナノテクの粉末がほとんど全部外へ出た状態で本人の血液にほとんど全部入れ換えその臓器の大動脈と大静脈をつなぎ新しい本人の血液の輸血につなげながら臓器の移植をおこないます。
これが生物の進化する細胞は分裂して、進化しない細胞は退化し死滅します、この調節がうまくいけば拒絶反応の少ない心臓移植や肝臓移植ができるのではないでしょうか。
ここで必要なのは田中耕一さんの論文のようなレーザー光線と数兆個のナノテクのを基準とした金属の粉末の電流の量の調節です。
それから前にものべたらように、放射線のほとんどない、最初のＤＮＡとナノテクの目的の臓器のＤＮＡの設計図部分のカバーとそれに伴う他の部分が強い永久磁石に近い完成された移植の臓器の磁場を超えた移植臓器が完成するまでもっている強い磁場を前にも述べたように放射線がほとんどないくらいに調節することです。
それから、成長ホルモンを中心とする細胞に良い善性の細胞分裂活性剤を調節することです。
この考え方がもっとも拒絶反応の少ない臓器移植になればいいとおもいます。
【０００７】
【発明の効果】
本人のＤＮＡを本人のＤＮＡから採取した臓器移植である。
【図面の簡単な説明】
【図１】本発明の最初の採種したＤＮＡによるナノテクカバーや超強力電磁石による１億度ぐらいにプラズマ状態で磁力を熱して冷ました状態の図である。
【図２】臓器が中位になってきた斜視図である。
【図３】臓器が完成している斜視図である。
【符号の説明】
１    白血球やリンパ球などから採種したＤＮＡ    ２    ナノテクカバー    ３    白血球やリンパ球などから採種したＤＮＡの拡大図    ４    １億度プラズマ発生装置    ５    小さな範囲に集中しつつある磁力    ６    超強力凸レンズ    ７    １億度のプラズマ    ８    電流ケーブル    ９    超過密コイル    １０  超強力電磁石    １１    超強力永久磁石か超強力電磁石    １２超強力永久磁石か超強力電磁石磁石の同一極    １３    １つ１つの細胞の拡大図    １４    バリコンレーザー発生調節装置    １５    レーザー光線  １６    中位になってきた臓器    １７    微量の力のポンプ    １８    水槽の形のビーカー    １９  酸素の小型タンク    ２０    本人の輸血した血液２１    ナノ単位を基準とした金属の粉末    ２２    平べったい電流発生棒    ２３  完成している蔵器    ２４    酸素    ２５    心臓の圧力に比例するポンプ    ２６  超高圧低圧調整装置
【図１】
2004216080.tif 000003
【図２】
2004216080.tif 000004
【図３】
2004216080.tif 000005